(57)【要約】  【課題】  登録された通信相手が電子メールを介して装置自体を制御することができ、その演出の多様性を付加して娯楽性が高められるとともに、高齢者などでも安心して操作でき、その返信操作や安否確認などの機能性に優れたメール報知装置を提供する。  【解決手段】  インターネット上のメールサーバに有線又は無線接続して電子メールを送受信するインターネット接続手段と、装置本体に内蔵された発光部、発音部、画像表示部、動作部の少なくとも１つを有する演出実行手段と、インターネット接続手段から取得される特定アドレスからの電子メールのデータに基づいて演出実行手段を所定の演出パターンで動作させる制御手段とを備えるようにメール報知装置を構成した。【選択図】  図１
2006293717.tif 000002
【特許請求の範囲】
【請求項１】
インターネットを介してメール情報を取得して所定の演出動作を行うメール報知装置であって、
インターネット上のメールサーバに有線又は無線接続して電子メールを送受信するインターネット接続手段と、
装置本体に内蔵された発光部、発音部、画像表示部、動作部の少なくとも１つを有する演出実行手段と、
前記インターネット接続手段から取得される特定アドレスからの電子メールのデータに基づいて前記演出実行手段を所定の演出パターンで動作させる制御手段と、
を備えたことを特徴とするメール報知装置。
【請求項２】
前記装置本体が各種アニメキャラクタや動物を模した人形型に形成されていることを特徴とする請求項１記載のメール報知装置。
【請求項３】
前記制御手段が予め登録された特定アドレスからの電子メールを判別して、この特定アドレスに対応した人物写真やキャラクタ画像を前記画像表示部に表示させるとともに、前記発音部により前記特定アドレスに対応した人物音声でメール内容を読み上げることを特徴とする請求項１又は２記載のメール報知装置。
【請求項４】
前記制御手段が前記電子メールに記載された演出プログラム又は特定演出動作を指示するキーワードを検知して、この演出プログラムやキーワードに従って前記演出実行手段を所定動作させることを特徴とする請求項１〜３の内いずれか１項に記載のメール報知装置。
【請求項５】
前記装置本体周囲の音響や振動、温度、湿度などの生活情報を取得する検知手段を備え、前記制御手段前記インターネット接続手段を介して前記生活情報のデータを所定アドレスに定期送信することを特徴とする請求項１〜４の内いずれか１項に記載のメール報知装置。
【請求項６】
前記インターネット接続手段に受信された電子メールのアドレス宛に、装置本体周囲の録音データ及び／又は撮像データを付加してリアルタイムで返信するメール返信操作部が設けられていることを特徴とする請求項１〜５の内いずれか１項に記載のメール報知装置。
【発明の詳細な説明】
【技術分野】
【０００１】
本発明はインターネットを介してメールサーバに接続して、電子メールの着信を報知するメール報知装置に関する。
【背景技術】
【０００２】
近年、携帯電話などの通信技術やパーソナルコンピュータなどの普及に伴って、種々のインターネットサービスが手軽に利用できるようになっている。このようなインターネットサービスの中でも電子メールは、遠隔地への送信時の費用の安さや、同時送信などの利便性などの面から広く利用され、例えば独り住まいの高齢者などへの通知手段などとしても有効になっている。この電子メールや電話の着信を周囲に報知する技術に関連して、例えば以下のようなものが知られている。
特許文献１には、その一部が動作自在に形成された外形を有し、コンピュータと無線又は有線の通信線を介して接続され、該通信線を通してコンピュータから送られてくる電子メール着信情報を受け取り、それに応じて前記外形の一部を駆動させるようにした電子メール着信報知装置が開示されている。
特許文献２には、電話回線の着信又はフックを検知する検知手段からの検知信号に従って、駆動装置、発光装置、音声発生装置の何れかを有する告知手段を作動させるようにした電話着信告知人形が開示されている。
【特許文献１】特開２００１−１４２３３号公報
【特許文献２】特開平１１−３０８３０５号公報
【発明の開示】
【発明が解決しようとする課題】
【０００３】
しかしながら、特許文献１、２などに記載の従来の電子メール着信報知装置や電話着信告知人形では、その着信時に一定の報知動作をするだけなので、その動きの意外性や娯楽性に欠けるとともに、電話などを取るまでは高齢者などには特定の相手からの着信判定が難しく、社会問題となった所謂振り込め詐欺などに対する不安感などを与える場合があるといった問題があった。さらに、従来のメール報知装置では外部の登録された通信相手がこの装置自体を制御して、その必要時に高齢者などの安否を確認したり、送信された電子メールに高齢者自身が簡単に返信したりすることができないために、その返信操作や安否確認の機能性に欠けるという問題があった。
【０００４】
本発明は前記従来の課題を解決するためになされたもので、外部の登録された通信相手が電子メールを介して装置自体を制御することもでき、その演出の多様性を付加して娯楽性を高めることができるとともに、高齢者などでも安心して操作でき、その返信操作や安否確認などの機能性に優れたメール報知装置を提供することを目的とする。
【課題を解決するための手段】
【０００５】
（１）請求項１記載の本発明に係るメール報知装置は、インターネットを介してメール情報を取得して所定の演出動作を行うメール報知装置であって、インターネット上のメールサーバに有線又は無線接続して電子メールを送受信するインターネット接続手段と、装置本体に内蔵された発光部、発音部、画像表示部、動作部の少なくとも１つを有する演出実行手段と、前記インターネット接続手段から取得される特定アドレスからの電子メールのデータに基づいて前記演出実行手段を所定の演出パターンで動作させる制御手段と、を備えたことを特徴とする。
【０００６】
（２）請求項２記載の本発明に係るメール報知装置は、前記（１）において、前記装置本体が各種アニメキャラクタや動物を模した人形型に形成されていることにも特徴を有している。
【０００７】
（３）請求項３記載の本発明に係るメール報知装置は、前記（１）又は（２）において、前記制御手段が予め登録された特定アドレスからの電子メールを判別して、この特定アドレスに対応した人物写真やキャラクタ画像を前記画像表示部に表示させるとともに、前記発音部により前記特定アドレスに対応した人物音声でメール内容を読み上げることにも特徴を有している。
【０００８】
（４）請求項４記載の本発明に係るメール報知装置は、前記（１）〜（３）のいずれかにおいて、前記制御手段が前記電子メールに記載された演出プログラム又は特定演出動作を指示するキーワードを検知して、この演出プログラムやキーワードに従って前記演出実行手段を所定動作させることにも特徴を有している。
【０００９】
（５）請求項５記載の本発明に係るメール報知装置は、前記（１）〜（４）のいずれかにおいて、前記装置本体周囲の音響や振動、温度、湿度などの生活情報を取得する検知手段を備え、前記制御手段が前記インターネット接続手段を介して前記生活情報のデータを所定アドレスに定期送信することにも特徴を有している。
【００１０】
（６）本発明のメール報知装置は、前記（１）〜（５）のいずれかにおいて、前記インターネット接続手段に受信された電子メールのアドレス宛に、装置本体周囲の録音データ及び／又は撮像データを付加してリアルタイムで返信するメール返信操作部が設けられていることにも特徴を有している。
【発明の効果】
【００１１】
本発明によれば、インターネットから取得される特定アドレスからの電子メールのデータに基づいて所定の演出パターンで演出実行手段を動作させてメール着信を報知するので、外部の登録された通信相手が電子メールを介して装置自体を制御して、その演出の多様性を付加して娯楽性を高めることができるとともに、高齢者などでも扱い易い操作性と優れた報知性を有している。
【発明を実施するための最良の形態】
【００１２】
本実施の形態に係るメール報知装置は、インターネットを介してメール情報を取得して所定の演出動作を行うメール報知装置であって、インターネット上のメールサーバに有線又は無線接続して電子メールを送受信するインターネット接続手段と、装置本体に内蔵された発光部、発音部、画像表示部、動作部の少なくとも１つを有する演出実行手段と、前記インターネット接続手段から取得される特定アドレスからの電子メールのデータに基づいて前記演出実行手段を所定の演出パターンで動作させる制御手段と、を有している。
【００１３】
メール報知装置は、例えば机上などに配置されてインテリアの一部とするようにアニメキャラクタなどの人形型などの親しみ易い形に全体がデザインされるが、見た目がシンプルなボックス型などとして機能性をアピールするようなものとしてもよい。なお、以下に述べる制御手段はこれら人形型とは別体として装置本体にケーブル接続するように配置することも可能である。
【００１４】
インターネット接続手段は、デスクトップ型やノート型のコンピュータや携帯電話などの通信機器に無線ＬＡＮ、有線ＬＡＮ、赤外線デバイス、シリアル又はパラレル接続ケーブルなどを介して接続される通信デバイスであり、後述する制御手段をインターネットに接続させて予め登録した携帯電話会社や特定サイトのメールサーバなどにアクセスする機能を有している。
【００１５】
演出実行手段は、例えば装置本体の所定位置に設けられたＬＥＤ発光素子やストロボランプなどの発光部や、マイクロフォンなどの発音部、液晶パネルなどの画像表示部、装置本体が人形型の場合などにおける手足や首などを駆動させたり振動させたりするための動作部の内少なくとも１つを備えて構成されている。
【００１６】
制御手段は、１チップマイコンなどのＩＣを搭載した制御回路などにより構成され、インターネット接続手段及び外部のコンピュータなどを介して前記メールサーバにアクセスする。こうして取得される電子メールの着信内容やアドレスのデータを解析して、これに対応する登録された所定の演出パターンで演出実行手段を作動させる機能を有している。メール報知装置は電子メールを介して演出実行手段を制御して、その演出の多様性を付加するとともに、高齢者などにもメール着信内容を認知し易くできるのでその報知性を高めることができる。
【００１７】
（実施の形態１）
以下、図面を参照して実施の形態１のメール報知装置について具体的に説明する。図１は本発明の実施の形態１に係るメール報知装置の説明図であり、図２は同メール報知装置の動作状態の説明図であり、図３は同メール報知装置のインターネット接続状態を示す説明図であり、図４は同メール報知装置のブロック構成図である。
図１〜図４において、１０は実施の形態１の人形型に形成されたメール報知装置、１１はインターネットに接続されたコンピュータＣに無線接続して電子メールをインターネット上のメールサーバに送受信するためのインターネット接続手段、１２は人形型の装置本体１０ａに内蔵された発光部１２ａ、発音部１２ｂ、画像表示部１２ｃ、動作部１２ｄを有する演出実行手段、１３はインターネット接続手段１１から取得される特定アドレスからの電子メールのデータに基づいて演出実行手段１２を所定の演出パターンで動作させるためのマイクロコンピュータなどの制御手段である。
【００１８】
メール報知装置１０の装置本体１０ａは図示するように人形型に構成され、その頭部の目玉部分にＬＥＤ発光素子を備えた発光部１２ａが設けられ、その胴体部分に発音部１２ｂと画像表示部１２ｃが配置されている。これら発光部１２ａ、発音部１２ｂ、画像表示部１２ｃ、動作部１２ｄを含む演出実行手段１２は、前記制御手段１３のインターフェイスにそれぞれ接続され、制御手段１３からの制御信号によって制御されるようになっている。
【００１９】
図２は演出実行手段１２をそれぞれ作動させた場合の説明図であり、図２（ａ）は発音部１２ｂのスピーカによって所定の音楽や効果音などを周囲に流している状態を、図２（ｂ）は発光部１２ａを光らせてミステリアスな効果を演出している状態を、また図２（ｃ）は画像表示部１２ｃに電子メール発信者の画像を表示するようにして、報知性をより高めた状態をそれぞれ示している。これらの演出効果は後述する演出実行手段１２を制御する制御手段１３にロードされたプログラムによって単独又は所定の組み合わせで実行される。なお、図示しないが、動作部１２ｄは電動モータを備えており、人形型メール報知装置１０の手などの部分を駆動させることができる。
【００２０】
なお、発光部１２ａ、発音部１２ｂ、画像表示部１２ｃ、動作部１２ｄはその使用目的や状況に応じて選択又は省略できるが、高齢者などを対象として演出実行手段を有効に機能させるためには、この内いずれか２つ以上を複合させることがその演出効果や報知性を高められるので好ましい。例えば、特定アドレスからのメール着信を検知したときに、この特定アドレスに対応した人物写真やキャラクタ画像を画像表示部１２ｃに表示させるとともに、発音部１２ｂにより特定アドレスに対応した音声でメール内容を読み上げるように演出プログラムを設定しておき、高齢者にも親しみ易い通信環境を実現することができる。なお、音声は特定アドレスに対応した人物の声に模した音声にすすることもできる。
【００２１】
インターネット接続手段１１は、図１に示すように、コンピュータＣの無線ＬＡＮ通信デバイスＤなどに接続され、コンピュータＣを介して、図３に示すようにインターネットにアクセスでき、これによって外部から電子メールを介して相互に通信できるようになっている。なお、このインターネット接続手段は携帯電話などのようにコンピュータを介さずに携帯電話会社のメールサーバに直接接続するように構成することも可能である。
【００２２】
図５は演出実行手段１２を制御するフローチャートの一例を示している。以下、このフローチャートを参照しながら制御手段１３の動作手順について説明する。
まず、ステップＳ１において、インターネットのサーバに接続するための時間間隔や接続アドレス、パスワード、近親者や介護者、知人などの特定受信アドレスデータ、このアドレス毎に対応して実行されるプログラムなどのデータを制御手段１３のメモリに登録して設定する。
次に、制御手段１３に内蔵されたタイマを参照してその実行時刻を取得し（ステップＳ２）、ステップＳ３でこの時刻データが予め登録されている時間間隔や受信時刻などの設定条件に合致するか否かを判定して、合致しない場合は、ステップＳ２に戻る。
ステップＳ３で条件を満たした場合は、ステップＳ４に移行してインターネット接続手段１１を介してインターネット上の登録されたメールサーバにアクセスする。
ステップＳ５では、着信した電子メールの有無をチェックして、着信がない場合はステップＳ２に戻り、着信ありの場合は次のステップＳ６に移行する。
着信ありと判定された場合のステップＳ６では、送信者のアドレスデータを抽出し、この抽出された送信者のアドレスが予め登録してある許可送受信者リストに含まれるか否かを判定する。こうして、当該電子メールが許可送受信者リストに含まれない場合はステップＳ２に戻って無視されることになる。一方、リストの電子メールに該当する場合は、処理をステップＳ７に移行する。
ステップＳ７ではこの電子メールの情報を解析する。ここでは、先のステップＳ６で判定したアドレスによる送信者データや、メール内のテキストデータなどを取得する。
その後処理をステップＳ８に移し、このステップＳ８では、予め登録してある特定送受信者のアドレスとこれに対応して実行させる演出パターンとの対照テーブルに基づいて、所定の演出パターンが設定される。例えば、送信者のアドレスが特定介護者のアドレスであれば、それには、薬剤の投与や食事などを促す演出パターンが、また、利用者の孫などに対応するアドレスに対しては、孫自身で録音された音声により着信を呼びかけるような演出パターンなどが対応付けられる。こうして、制御手段１３では、このような演出パターンを選択して実行させるプログラムによって演出実行手段１２を制御して、その条件に応じた適切な動作が実現され、メール情報に基づいた演出パターンによって演出実行手段１２の制御がなされる（図２参照）。そして、この演出実行処理を終了した後はステップＳ２にリターンされる。
【００２３】
図６は、前記フローチャートとは異なる変形例のフローチャートを示している。この例は、予め登録してある特定送受信者のアドレスをグループＡ，Ｂ，Ｃに区分しており、グループＡではその送信者のアドレスのみで演出内容が決定され、グループＢでは送信者が所定のキーワードをメール内に記載し、そのキーワードに基づいて演出内容が決定され、グループＣでは送信者が所定のプログラムをメール内に添付し、そのプログラムに基づいて演出内容が決定されるようにしている。
以下、図６に示したフローチャートを参照して制御手段１３の動作手順について説明する。なお、この変形例における制御手段１３の動作フローのステップＳ１〜Ｓ５は、前述した図５のフローチャートにおけるステップＳ１〜Ｓ５までの前半部分と手順は同様であるので、この部分の説明を省略してステップＳ５に続くステップをＳ１０〜Ｓ１６について説明する。
【００２４】
ステップＳ５により着信ありと判定した場合のステップＳ１０では、図５のステップＳ５で取得した電子メールのデータからその発信者アドレスや、メール文に含まれる所定の演出動作を指示するキーワード、特定プログラムのフォーマットにより記述された制御手段１３の実行用スクリプトなどを抽出する。
そして、ステップＳ１１では、ステップＳ１０で抽出されたデータに登録されたＡグループのアドレス群が含まれるか否かを判定する。こうして判定された場合にはステップＳ１４へ移行し、Ａグループのアドレス郡に該当するデータがない場合は次の判定ステップＳ１２に進む。
ステップＳ１２では、ステップＳ１０で抽出されたデータに、予め登録されたキーワードを含むＢグループのアドレス群が含まれるか否かを判定する。Ｂグループのアドレス群が含まれると判定された場合にはステップＳ１５へ移行し、Ｂグループのアドレス群に該当するデータがない場合は次の判定ステップＳ１３に進む。
ステップＳ１３では、所定の実行可能なプログラムが含まれるメールを送信するように予め登録されたＣグループのアドレス郡が含まれるか否かを判定する。Ｃグループのアドレス郡が含まれると判定された場合にはステップＳ１６へ移行し、Ｃグループのアドレス郡に該当するデータがない場合はステップＳ２にリターンされる。
【００２５】
ステップＳ１４、ステップＳ１５及びステップＳ１６では、制御手段１３は、表１に示した参照テーブルに基づいて、所定の演出パターンＡを実行してステップＳ２にリターンする。
【表１】
2006293717.tif 000003
すなわち、演出パターンＡでは、送信者に応じて、例えば図２に示したように、発光部１２ａ発光させたり、発音部１２ｂから音を発したり、画像表示部１２ｃに画像表示を行わせるなどするのである。
【００２６】
また、ステップＳ１５では、検出された特定の登録キーワードに応じて、これも前記参照テーブル（表１）に基づいた所定の演出パターンＢが実行され、その後、ステップＳ２にリターンされる。例えば、このメール報知装置１０の利用者が若者などであれば、メール本文やタイトル中に”ミステリー動作”などのキーワードが含まれていた場合は、その着信時点や予めプログラムされた時刻、あるいは所定の時間間隔などのタイミングで人形型の目玉部分に配置された発光部１２ａを発光させるとともに、発音部１２ｂを介して悲鳴などの効果音を発生させてミステリアスな演出動作を行うことができる。また、メール送信者の愛称などをキーワードとして、この送信者に関連の深い音楽や効果音などを発音部１２ｂから流すようにして、癒しや効果や報知性を向上させるようするのである。
【００２７】
また、ステップＳ１６では、電子メールに実行可能なスクリプトなどのプログラムが含まれていることから、これに対応したアプリケーションが呼び出されてこの実行可能な演出パターンＣが実行され、その後、ステップＳ２にリターンされる。例えば、テキストとして記述されたＰｅｒｌなどのＣＧＩスクリプトがメール本文中に含まれるような場合は、ＣＧＩアプリケーションが実行されて所定演出パターンで各種の演出実行手段１２（発光部１２ａ、発音部１２ｂ、画像表示部１２ｃ、動作部１２ｄ）が単独あるいは適宜組み合わされて作動されることになる。こうして、変形例におけるメール報知装置では、電子メールを用いて多様な演出パターンをその利用者の状況に応じて選択して実行することができる。
【００２８】
実施の形態１のメール報知装置１０は以上のように構成され、インターネット接続手段１１を介して取得される電子メールのアドレスやその内容となるデータを解析して、これに対応する登録された所定の演出パターンによって、演出実行手段１２を作動させることができる。こうして、メール報知装置は電子メールを介して発光部１２ａ、発音部１２ｂ、画像表示部１２ｃ、動作部１２ｄを備えた演出実行手段１２を適正に制御して、ミステリアスな動作や癒し系の動作などによって人形型に形成されたメール報知装置１０を駆動させて、その娯楽性を付加することができるとともに、感覚機能などが低下した高齢者などに対するメール着信を認知し易くしてその報知性を高めることができる。
【００２９】
（実施の形態２）
図７は本発明の実施の形態２に係るメール報知装置のブロック構成図であり、図８はその作動状態を説明するフローチャートである。以下、図７、図８を参照して実施の形態２のメール報知装置について具体的に説明する。
図７において、２０は実施の形態２のメール報知装置であり、ここでも実施の形態１と同様な人形型としている。２１は人形型に形成された装置本体に設けられたメール返信操作部、２２は装置本体周囲の音響や振動、温度、湿度などの生活情報を取得するための音響センサや振動センサ、温度センサを具備してこれらの検知信号を制御手段１３に送信するための検知手段である。なお、実施の形態２のメール報知装置２０は、実施の形態１のものにメール返信操作部２１及び検知手段２２を付加したものであり、他の構成は同様であるので、これら同様の機能を有するものについては同一の符号を付してその説明を省略する。
【００３０】
メール返信操作部２１は、例えば、人形型などの装置本体の手の部に設けられたプッシュボタンなどであり、利用者が演出実行手段１２の作動をみて、そのメール着信を認知したときなどにこのプッシュボタンを操作することで制御手段１３にメールに応答して所定メール返信操作を指示するコマンドの送信機能を有している。これによって、高齢者や幼児でもその安否情報などを送信者のアドレス宛に容易かつ確実に送信することができる。
【００３１】
検知手段２２は、制御手段１３を介して所定の時間に定期的に、あるいは外部メールのメール本文やタイトルにテキスト形式で記述された起動コマンドなどにより起動されるようになっている。検知手段２２の起動後は所定時間、周囲の生活情報取得を取得して、このデータを制御手段１３のメモリに記憶しておき、インターネット接続手段１１を介して特定アドレスに着信した電子メールの受信を契機として、予め登録された介護者などのアドレス宛に生活情報が送られる。なお、制御手段１３の制御プログラムに生活情報データの異常をチェックするための判定プログラムを設けておき、この異常が判定されたときに、予め準備した警報メールを、インターネット接続手段１１を介して近親者や介護者のアドレス宛に送信するようにしてもよい。
【００３２】
図８は実施の形態２における演出実行手段１２を制御するフローチャートの一例を示している。以下、このフローチャートを参照しながら制御手段１３の動作手順について説明する。
まず、ステップＳ２０において、インターネット接続時の時間間隔や接続アドレス、近親者や介護者などの特定返信先のアドレスなどのデータを制御手段１３のメモリに設定する。
次ぎに、制御手段１３に内蔵されたタイマを参照してその実行時刻を取得し（ステップＳ２１）、ステップＳ２２でこの時刻データが予め登録されている時間間隔や受信時刻などの設定条件に合致するか否かを判定して、合致しない場合は、ステップＳ２１に戻る。
ステップＳ２２で条件を満たした場合は次のステップＳ２３に移行し、当該時間条件でない場合はステップＳ２５に進む。
ステップＳ２３では制御手段１３のメモリにアクセスしたり、検知手段２２に直接アクセスして、メモリに蓄積された生活情報やリアルタイムで得られる生活情報のデータを取得する。
次のステップＳ２４では予め登録された介護者や近親者などのアドレス宛に生活情報のデータを送信して、ステップＳ２１にリターンされる。
ステップＳ２２で前記時間条件を満足しない場合のステップＳ２５では、利用者がメール返信操作部２１を操作したか否かをチェックする。メール返信操作部２１が操作されている場合には予め準備されているメール、例えば”元気だよ”メールを利用者が受信した電子メールのアドレス宛に送信してステップＳ２１に復帰する（ステップＳ２６）。一方、メール返信操作部２１が操作されていないと判定された場合は、ステップＳ２１に戻って、以上のフローが繰り返し実行されることになる。
【００３３】
実施の形態２のメール報知装置２０は、以上説明したように、装置本体１０ａ周囲の音響や振動、温度、湿度などの生活情報を取得するセンサなどの検知手段２２を備え、これらの取得された生活情報のデータをインターネット接続手段１１を介してこの所定アドレスに送信することができるので、電子メールを介して独り暮らしの高齢者などについての安否確認を適切なタイミングで自動的に行うことができる。さらに、インターネット接続手段１１に受信された電子メールのアドレス宛に、装置本体周囲の録音データ及び／又は撮像データを付加してリアルタイムで返信することのできるメール返信操作部２１が設けられているので、着信したメールの相手先に対して高齢者が手間を掛けることなくその近況をリアルタイムで報知することができ、その操作性に優れている。
【００３４】
以上、本発明の実施の形態１、２について説明したが、本発明はこれら実施の形態のものに限定されるものではない。すなわち、本発明はインターネット接続手段を介して取得される電子メールのメール情報に基づいて演出実行手段を制御して所定の演出動作を行わせることを要旨としたものであり、これに該当するものは本発明に属する。例えば、本実施の形態では、装置本体として人形型のものを例示したが、機能的なデザインのボックスタイプのものとして、これに設けた液晶パネルに所定の演出画像を動画又は静止画として表示させることもできる。
【図面の簡単な説明】
【００３５】
【図１】実施の形態１に係るメール報知装置の説明図である。
【図２】同メール報知装置の動作状態の説明図である。
【図３】同メール報知装置のインターネット接続状態を示す説明図である。
【図４】同メール報知装置のブロック構成図である。
【図５】演出実行手段を制御するフローチャートである。
【図６】演出実行手段を制御するフローチャートの変形例である。
【図７】実施の形態２に係るメール報知装置のブロック構成図である。
【図８】同メール報知装置における演出実行手段を制御するフローチャートである。
【符号の説明】
【００３６】
１０  実施の形態１のメール報知装置
１０ａ  装置本体
１１  インターネット接続手段
１２  演出実行手段
１２ａ  発光部
１２ｂ  発音部
１２ｃ  画像表示部
１２ｄ  動作部
１３  制御手段
２０  実施の形態２のメール報知装置
２１  メール返信操作部
２２  検知手段
【図１】
2006293717.tif 000004
【図２】
2006293717.tif 000005
【図３】
2006293717.tif 000006
【図４】
2006293717.tif 000007
【図５】
2006293717.tif 000008
【図６】
2006293717.tif 000009
【図７】
2006293717.tif 000010
【図８】
2006293717.tif 000011